(57)【要約】【課題】従来の、一つの光源で多数の発光点を光輝させようとする構成においては、点灯時、非点灯時の何れかに内部構造があからさまに見え、美観を損ねるなどの問題点を生じていた。【解決手段】本発明により、自動車用灯具１のインナーレンズ、又は、アウターレンズ２のレンズ内面側に、シボ又は微細な凹凸プリズム加工が成された複数の発光点２ｂを設定し、そのレンズ表面側には、発光点位置に対応したブロック状に凸とした部分厚肉部２ａが設定され、ブロック状に凸とした部分厚肉部を発光させるように、部分厚肉部の数に対応する光源、または、複数の焦点を有する反射鏡により部分厚肉部の数に対応する数の光源または反射による疑似光源を設定した車両用灯具としたことで課題を解決する。【選択図】図２
2008084805.tif 000002
【特許請求の範囲】
【請求項１】
車両用灯具のインナーレンズ、又は、アウターレンズのレンズ内面側に、シボ又は微細な凹凸プリズム加工が成された複数の発光点を設定し、そのレンズ表面側には、発光点位置に対応したブロック状に凸とした部分厚肉部が設定され、ブロック状に凸とした前記部分厚肉部を発光させるように、前記部分厚肉部の数に対応する光源、または、複数の焦点を有する反射鏡により前記部分厚肉部の数に対応する数の光源または反射による疑似光源を設定したことを特徴とする車両用灯具。
【請求項２】
前記発光点の背面に複数のＬＥＤ光源を配置したことを特徴とする請求項１記載の車両用灯具。
【請求項３】
灯具に一つの光源を用い、光源近傍を第一焦点、発光点近傍を第二焦点とする第一の楕円反射面を発光点の数だけ設定したことを特徴とする請求項１記載の車両用灯具。
【請求項４】
発光点であるシボ又は微細な凹凸プリズム加工の中心付近の一部が透明に設定されていることを特徴とする請求項１〜３の何れかに記載の車両用灯具。
【請求項５】
光源から前方に出射される光を光源側の後方に反射する、一つ以上の第二の反射面を正面視で光源の大きさ以上として設置し、この第二の反射面は楕円系とされ、光源近傍を第一焦点、発光点近傍を第二焦点となるように、この第二の反射面の反射光を前方に向ける第三の反射面として平面反射鏡を組合わせたことを特徴とする請求項３又は請求項４記載の車両用灯具。
【請求項６】
前記発光点のブロック状に凸とした部分厚肉部を通り、配光規格で定められた車両の外側方向に正面から横の８０度方向と、車両の正面から内側方向に４５度方向に光を出射するように、前記第一の楕円反射面上または独立した反射面として、光源近傍を焦点とし、前記８０度方向、及び、４５度方向に反射させる回転放物面あるいは楕円の反射面が第四、第五の反射面として設けられていることを特徴とする請求項３又は請求項４記載の車両用灯具。
【発明の詳細な説明】
【技術分野】
【０００１】
本発明は、車両用灯具などとして使用可能な灯具の構成に関するものであり、詳細には、一つの発光源により一枚のレンズ上に複数の独立する発光点が形成でき、斬新な見栄えのする灯具の構成に係るものである。
【背景技術】
【０００２】
従来の一つの光源９１により、一枚のレンズ板９２上にあたかも複数の発光点９２ａが存在するように構成した灯具９０の例としては、図６に示すように光源９１に第一焦点を有するようにして、複数の回転楕円反射面など楕円系反射面９３ａの複数を花弁状に組合わせた反射鏡９３が設けられている。
【０００３】
このときには、前記レンズ板９２上には、６〜７個の凸レンズ９２ａが形成されており、また、前記レンズ板９２と前記反射鏡９３との間には、配光形状を決める開口部９４ａのが設けられたシェード９４が設置され、前記開口部９４ａの近傍には第二焦点が設定されている。従って、前記開口９４には第二焦点に向かい収束する光が透過するものとなる。
【０００４】
また、前記レンズ板９２上の凸レンズ９２ａの焦点は、前記シェード９４の近傍に設定されており、そして、前記凸レンズ９２ａと前記開口部９４ａとは、夫々が対応する位置に設置されている。よって、前記開口部９４ａを通過する光の断面形状が、その開口部９４ａが対応する凸レンズ９２ａから投射されるものとなり、一つの光源９１からの光により複数の凸レンズ９２ａから光が投射されるように見えるものとなる。尚、図中に符号９５で示すものは、レンズ板９２の中心にも発光点９２ａを設けるときのリフレクタであり、光源９１を第一焦点とする回転楕円面などの一部で他の反射面９３ａと干渉が少なくなるようにして形成されている。
【特許文献１】特開平１１−２９７１０３号公報
【発明の開示】
【発明が解決しようとする課題】
【０００５】
しかしながら、上記に説明した従来の構成では、昼間であり、光源９１の非点灯時には、前記レンズ板９２に凸レンズ９２ａが設けられていない所から、前記開口部９４ａを通して光源９１が見えるものとなり、即ち、内部構造が見えるものとなって、灯具９０全体の品質感が低下するという問題点を生じていた。
【０００６】
また、点灯時には、光源９１あるいは光源９１に装着したリフレクタ９５からの発光が凸レンズ９２ａよりも強く見え、中心以外の凸レンズ９２ａの配置を換えても、あまり変化が感じられず、見栄えが単調化するという問題点も併せて生じるものとなっていた。
【０００７】
更には、上記に説明した灯具９０は、ヘッドライト以外の用途、例えば、ポジションランプやテールランプとしての使用を図るときには、車両の外側左右方向には、正面からほぼ８０度の範囲まで、車両の内側左右方向には、正面から４５度まで光を拡散することが要求されるが、上記に説明した従来の構成では、外側、内側何れの方向にも２０度程度までしか対応できないものであった。
【課題を解決するための手段】
【０００８】
本発明は、上記した従来の課題を解決するための具体的手段として、自動車用灯具のインナーレンズ、又は、アウターレンズのレンズ内面側に、シボ又は微細な凹凸プリズム加工が成された複数の発光点を設定し、そのレンズ表面側には、発光点位置に対応したブロック状に凸とした部分厚肉部が設定され、ブロック状に凸とした前記部分厚肉部を発光させるように、前記部分厚肉部の数に対応する光源、または、複数の焦点を有する反射鏡により前記部分厚肉部の数に対応する数の光源または反射による疑似光源を設定したことを特徴とする車両用灯具を提供することで、夜間時、昼間時共に見栄えを改善すると共に、光源から前方に出射される光を光源側の後方に反射する、一つ以上の第二の反射面を正面視で光源の大きさ以上として設置し、この第二の反射面は楕円系とされ、光源近傍を第一焦点、発光点近傍を第二焦点となるように、この第二の反射面の反射光を前方に向ける第三の反射面として平面反射鏡を組合わせ、更に加えて、前記発光点のブロック状に凸とした部分厚肉部を通り、配光規格で定められた車両の外側方向に正面から横の８０度方向と、車両の正面から内側方向に４５度方向に光を出射するように、前記第一の楕円反射面上または独立した反射面として、光源近傍を焦点とし、前記８０度方向、及び、４５度方向に反射させる回転放物面あるいは楕円の反射面とした第四、第五の反射面が設けられた車両用灯具としたことで課題を解決するものである。
【発明の効果】
【０００９】
本発明により、ほぼ車両の正面、あるいは、後正面方向に照射光を向かわせる第一の反射面、光源から正面方向に照射される光を後方に反射させる第二の反射面、前記第二の反射面により後方に反射した光を前方に折り返させる第三の反射面、前記８０度方向、及び、４５度方向に光を反射させる第四と第五の反射面を備え、レンズに前記第一の反射面の第二焦点近傍にシボ部と部分厚肉部を設けた車両用灯具としたことで、見栄えを向上させると共に、車両用灯具としての汎用性も備える効果を奏するものとする。
【発明を実施するための最良の形態】
【００１０】
つぎに本発明を図に示す実施形態に基づいて詳細の説明する。図１〜図４に符号１で示すものは、本発明に係る車両用灯具であり、図１は前記車両用灯具１の正面図、図２は図１のＡ−Ａ線、即ち、垂直方向に沿う断面図であり、図３は図１のＢ−Ｂ線、即ち、水平方向に沿う断面図であり、図４はアウターレンズを取り除いて見た際の反射面の状態を示す正面図である。
【００１１】
ここで、図１に示すように前記車両用灯具１のアウターレンズ２には３列×３行とし、表面が平滑とされた９個の部分厚肉部２ａが外面側に突出して設けられている。また、前記アウターレンズ２の内面側であり、且つ、前記部分厚肉部２ａに対応する位置には、シボ又は微細な凹凸プリズム加工が成されて発光点２ｂが形成されている。
【００１２】
尚、前記部分厚肉部２ａは基本的には全てが同一な形状として形成されているものであるが、一部に光の供給方法が異なるので、図１の正面から見る状態で、左右の外側列の部分に設けられた部分厚肉部２ａを外列厚肉部２１ａとし、中央列に設けられた部分厚肉部２ａを中列厚肉部２２ａとして、夫々の光の供給方法を説明する。
【００１３】
まず、外列厚肉部２１ａについては、図４に示すように、夫々に対して、例えば、電球のフィラメントなど光源３を第一焦点とし、夫々の外列厚肉部２１ａに対応して設けられた発光点２ｂを第二焦点とする第一の楕円反射面４の６面が略花弁状として設けられている。
【００１４】
即ち、外列厚肉部２１ａに対する光の供給方法は、上記背景技術で説明した従来のものとほぼ同様である。但し、本発明では、第二焦点の位置にシェードを配置することはなく、例えばシボ加工を行った発光点２ｂで適度に拡散し、部分厚肉部２ａ（外列厚肉部２１ａ）を光輝させるものとしている。
【００１５】
この時、例えば、前記発光点２ｂのシボ部を十字状に四分割するように一部を平坦面としておけば、部分厚肉部２ａは、光源３からの前記発光点２ａを通った光により四分割される拡散光のような模様で光輝するものとなり、観視者に従来にない新規感と、美観とを与えることができ、表示効果が向上するものとなる。
【００１６】
ついで、中列厚肉部２２ａを光輝させるときの方法について説明を行う。本発明では光源３を、この光源３よりも適宜に大きい径を有する第二の反射面５で覆い、前記光源３の非点灯時にアウターレンズ２を前方から覗き込んだときにも光源３が目視されることがなく、また点灯時においても、上記した第一の楕円反射面４の光路を妨害しないものとされている。
【００１７】
前記第二の反射面５は、前記光源３を第一焦点として、この光源３からの光を上下の２方向に分割して反射するように二個の楕円面が複合された形状とされ、一方は前記中列厚肉部２２ａの上方に設けられている平面鏡である第三の反射面６ａに反射して前方に向かい、上方に設けられた中列肉厚部２２ａに対応する発光点２ｂに達する。
【００１８】
このときに、前記第二の反射面６ａは光源３に第一焦点を有し、上記した、上方に設けられた中列肉厚部２２ａに対応する発光点２ｂに第二焦点を有する楕円面として形成されているので、アウターレンズ２の上方寄りに設けられた中列厚肉部２２ａを光輝させるものとなる。
【００１９】
同様に、第二の反射面５の下半部に達した光源３からの光は、後方の下方に設けられた平面鏡である第三の反射面で光は前方に折り返され、アウターレンズ２の下方寄りに設けられた中列厚肉部２２ａを光輝させるものとなる。即ち、第二の反射面５の下半部も光源３に第一焦点を有し、下方よりに設けられ中列厚肉部２２ａに対応する発光点２ｂに第二焦点を有するものとされているのである。
【００２０】
尚、本発明によれば、第二の反射面５を設けたことで、非点灯時には光源３がアウターレンズ２を通して観視されて見栄えを損じるようなことがなく、また点灯時においても、夫々の部分厚肉部２ａは、夫々が専用の反射面で光輝するものとなるので、前記部分厚肉部２ａの部分が明確に光輝するものとなり、美麗な点灯状態が得られるものとなる。
【００２１】
つぎに、本発明の車両用灯具１をポジションランプ、テールランプなどとして使用するときの対処の方法について説明する。この場合、車両用灯具１は車両の外側方向に対しては、ほぼ８０度の方向まで光を配布可能とし、車両の中心方向に対してはほぼ４５度の方向まで光を配布可能としなければならないものであることは前記したとおりである。
【００２２】
そこで、本発明では図３に示すように、アウターレンズ２を車体（図示せず）の外側に向かうように傾けると共に、前記アウターレンズ２の車体に接する側の面には、例えば楕円面とした第四の反射面７を設置するものであり、このときには、前記第四の反射面７は、光源３を第一焦点とし、外側の外列厚肉部２１ａを第二焦点としておけば、アウターレンズ２を透過する際には集束した状態であるので、狭い面積の場所から外部へ充分な光を放射することが可能となる。あるいは、第四の反射面７を光源３の近傍を焦点とする放物面とし、平行光線に近い状態でアウターレンズを透過させても良いものである。
【００２３】
また、車両の内側に４５度方向で向かわせる光を形成するときにも、上記と同様に、光源２を第一焦点とし、例えば、車体内側寄りに存在する部分厚肉部２ａを第二焦点とする第五の反射面８を形成すれば良いものとなる。尚、各列の間に設けられているものは部分厚肉部２ａに対応して設けられた発光点２ｂと同様にして形成された装飾用発光点９であり、非点灯時などには外光を反射して、アウターレンズ２の表面に明るい部分を増やし装飾効果を向上させる。
【００２４】
以上に説明した構成は、一つの光源３で中心の部分厚肉部２ａを除き光輝させる構成について説明したが、本発明は一つの光源３のみで点灯させることを目的とするものではなく、図５に示すように、シボ又は微細な凹凸プリズム加工で形成された複数の発光点２ｂ、及び、対応する部分厚肉部２ａの背面に適宜な距離を置き、１対１で対応させてＬＥＤランプ１０を設置しても良いものである。
【図面の簡単な説明】
【００２５】
【図１】本発明に係る車両用灯具を示す正面図である。
【図２】図１のＡ−Ａ線に沿う断面図である。
【図３】図１のＢ−Ｂ線に沿う断面図である。
【図４】本発明に係る車両用灯具の反射面を示す正面図である。
【図５】本発明に係る車両用灯具の別の実施例を示す断面図である。
【図６】従来例を示す説明図である。
【符号の説明】
【００２６】
１…車両用灯具
２…アウターレンズ
２ａ…部分厚肉部
２１ａ…外列厚肉部
２２ａ…中列厚肉部
２ｂ…発光点
３…光源
４…第一の楕円反射面
５…第二の反射面
６ａ、６ｂ…第三の反射面
７…第四の反射面
８…第五の反射面
９…装飾用発光点
１０…ＬＥＤランプ
【図１】
2008084805.tif 000003
【図２】
2008084805.tif 000004
【図３】
2008084805.tif 000005
【図４】
2008084805.tif 000006
【図５】
2008084805.tif 000007
【図６】
2008084805.tif 000008